(57)【要約】【課題】  小型で簡単な機構で構成し、しかも加工布の盛り上がり部を追従しながらスムーズに移動可能なキルティング定規を提供すること。【解決手段】  左右方向向きの棒状支持体１１の右端部に形成された連結部１１ａに、前後方向向きの布案内体１２を構成する案内本体部１３の後端部の第１支持部１３ａが上下揺動可能に連結され、しかもこの棒状支持体１１の連結部１１ａにねじりコイルばね１４が外装され、布案内体１２は、先端部に布ガイド板１５を揺動可能に支持するとともに、ねじりコイルばね１４のバネ力で加工布側に回動付勢されている。縫製中に加工布の盛り上がり部を通過する場合、布案内体１２は、布ガイド板１５を介してねじりコイルばね１４のバネ力に抗して上側に揺動するが、盛り上がり部の通過後には、ねじりコイルばね１４のバネ力により下方に揺動復帰し、加工布の布表面を追従して移動する。【選択図】  図１
2007244542.tif 000002
【特許請求の範囲】
【請求項１】
加工布を押える布押えを装着する布押えホルダー又は上送り装置の装着部に着脱可能に装着されるキルティング定規において、
前記装着部に左右方向水平状に着脱可能に装着される棒状支持体と、
前記棒状支持体の一端部に有する連結部と、
前記棒状支持体の連結部に、支持部を介して上下揺動可能に連結され前方に延びる板状の布案内体と、
前記布案内体を前記加工布側に回動付勢する弾性部材と、
を備えたことを特徴とするキルティング定規。
【請求項２】
前記弾性部材は、前記棒状支持体の連結部に外装されたねじりコイルばねで構成されたことを特徴とする請求項１に記載のキルティング定規。
【請求項３】
前記棒状支持体は、前記布案内体の上下揺動を所定の範囲に規制するストッパー部材を有することを特徴とする請求項１又は２に記載のキルティング定規。
【請求項４】
前記布案内体は前記支持部を後端部に有する前後方向向きの案内本体部と、この案内本体部の前端部に前後方向向きに連結された布ガイド板とを有し、前記布ガイド板は前記案内本体部に揺動可能に支持されたことを特徴とする請求項１〜３の何れかに記載のキルティング定規。
【請求項５】
前記案内本体部に、長さ方向と平行な補強リブがほぼ全長に亙って形成されたことを特徴とする請求項４に記載のキルティング定規。
【発明の詳細な説明】
【技術分野】
【０００１】
本発明は、布押えホルダー又は上送り装置の装着部に着脱可能に装着され、縫目線間隔を一定に保ちながらキルティング生地を縫製する為のキルティング定規に関する。
【背景技術】
【０００２】
従来、キルティング生地に縦横に縫目を形成するキルティング縫いに際して、前の縫目線から一定距離をおいて縫目を縫製するような場合に、一般的に、キルティング定規が使用される。このキルティング定規は、通常、押え棒の下端部に装着された布押えホルダー又は上糸送り装置の装着部に、必要に応じて着脱可能に装着される。このキルティング定規については、種々提案されるとともに、実用化されている。
【０００３】
例えば、特許文献１に記載のミシンの定規棒保持装置は、押えホルダの後方支持部の上部に凹処が形成され、この凹処に定規棒の水平部が挿嵌され、板バネで水平部が凹処に押圧されるようになっている。この場合、定規棒の水平部は断面略太鼓状に形成され、常にはその太鼓状の平坦面に板バネの自由端部が圧接し、定規棒の左右方向が所定位置に保持されるようにしてある。
【０００４】
また、特許文献２に記載の定規棒保持装置は、カバー体の両側壁に、一端を外方に開放させたＵ字状溝を形成し、Ｌ字状に曲げ形成された定規棒のうちの、断面円形の軸部をＵ字状溝の凹部に押し込むと、定規棒は凹部と凸部との間で挟持されるようにしてある。
【０００５】
【特許文献１】実公昭５３−５２５００号公報（第１〜３頁、図１〜図２）
【特許文献２】実開平５−７０４７７号公報（第６〜７頁、図４〜図６）
【発明の開示】
【発明が解決しようとする課題】
【０００６】
特許文献１に記載のミシンの定規棒保持装置においては、断面略太鼓状に形成された定規棒の水平部を、板バネのバネ力で後方支持部の凹処に圧接され、また特許文献２に記載の定規棒保持装置においては、Ｕ字状溝の凹部における挟持力により、定規棒は取付けられた所定位置に保持されるようになっている為、特にキルティング生地を縫製する場合に、キルティング生地の表面が上側に大きく波打つような盛り上がり部を通過した後、定規棒はこのように上側に持ち上げられた状態で保持される。
【０００７】
即ち、定規棒は、一旦持ち上げられると、板バネのバネ力や挟持力が強い為、自重で下がることはなく、持ち上げられた状態に保持される。この状態では、定規棒は本来のゲージ機能を発揮できない為、作業者は、定規棒を、キルティング生地の表面に接するように手で下げる操作を行わなければならず、キルティング縫いの作業性が低下するという問題がある。
【０００８】
そこで、特許文献１に記載の定規棒のうちの押え足の一側に位置する一端案内部や、特許文献２に記載の定規棒のうちの前方向きの定規部を上下に弾性変形可能なばね用鋼材やばね用線材で構成することも考えられる。しかし、この場合、装着作業や取外し作業に際して、予期しない外力を受けても塑性変形しないように、ばね用鋼材で構成する場合は、ある程度板厚を厚くし且つ幅広に形成して適当な強度を持たせる必要がある。また、ばね用線材で構成する場合は、ある程度の太い線径の線材で形成して適当な強度を持たせる必要がある。その結果、バネ定数が大きくなり、ばねのたわみ量の変化に対するバネ力の変化が大きくなって、特にキルティング縫いに際して、定規棒がキルティング生地等の波打つような表面をスムーズに移動できないという問題が起こる。
【０００９】
本発明の目的は、小型で簡単な機構で構成し、しかもキルティング生地等の波打つような加工布の布表面をも追従可能なキルティング定規を提供することである。
【課題を解決するための手段】
【００１０】
請求項１のキルティング定規は、加工布を押える布押えを装着する布押えホルダー又は上送り装置の装着部に着脱可能に装着されるキルティング定規であって、装着部に左右方向水平状に着脱可能に装着される棒状支持体と、棒状支持体の一端部に有する連結部と、棒状支持体の連結部に、支持部を介して上下揺動可能に連結され前方に延びる板状の布案内体と、布案内体を加工布側に回動付勢する弾性部材とを備えたものである。
【００１１】
キルティング定規の棒状支持体を布押えホルダー又は上送り装置の装着部に左右方向水平状に装着すると、布案内体は布押えホルダー又は上送り装置の側部において、棒状支持体から前方に延びて加工布側に回動付勢されている。布押えホルダー又は上送り装置の下側に加工布を挟持した状態で縫製が開始され、加工布の盛り上がり部を縫製する際には、布案内体の前端部が回動付勢力に抗してその盛り上がり部により、一旦持ち上げられ、布案内体は上方に揺動する。しかし、盛り上がり部の通過後には、布案内体は弾性部材の回動付勢力により下方に復帰揺動し、加工布の布表面を継続して追従する。
【００１２】
請求項２のキルティング定規は、請求項１において、前記弾性部材は、棒状支持体の連結部に外装されたねじりコイルばねで構成されたものである。
【００１３】
請求項３のキルティング定規は、請求項２において、前記棒状支持体は、布案内体の上下揺動を所定の範囲に規制するストッパー部材を有するものである。
【００１４】
請求項４のキルティング定規は、請求項３において、前記布案内体は支持部を後端部に有する前後方向向きの案内本体部と、この案内本体部の前端部に前後方向向きに連結された布ガイド板とを有し、布ガイド板は案内本体部に揺動可能に支持されたものである。
【００１５】
請求項５のキルティング定規は、請求項１〜４の何れかにおいて、前記案内本体部に、長さ方向と平行な補強リブがほぼ全長に亙って形成されたものである。
【発明の効果】
【００１６】
請求項１の発明によれば、加工布を押える布押えを装着する布押えホルダー又は上送り装置の装着部に着脱可能に装着されるキルティング定規において、棒状支持体と、連結部と、布案内体と、弾性部材とを設けたので、縫製中に、加工布の盛り上がり部を縫製する際には、布案内体は一次的に上方に揺動するが、盛り上がり部の通過後に、下方に復帰揺動して加工布の布表面を継続して追従するようになり、作業者は、盛り上がり部を通過する毎に布案内体を手作業で布表面まで下降させる必要がなく、縫製作業の作業性が格段に向上する。
【００１７】
更に、キルティング定規は、棒状支持体に布案内体を上下揺動可能に支持し、布案内体を回動付勢する弾性部材を設けた構成なので、キルティング定規を小型且つ軽量で簡単な機構にでき、しかも製作コストを安価にすることができる。
【００１８】
請求項２の発明によれば、前記弾性部材は、棒状支持体の連結部に外装されたねじりコイルばねで構成されたので、ねじりコイルばねを採用することにより布案内体を回動付勢するバネ定数を小さくでき、従って、加工布の布厚の変化によりばねのたわみ量が大きく変化しても、バネ力の変化を小さくできるので、キルティング生地等の波打つような表面を布案内体が通過する場合でもスムーズに移動することができる。しかも、キルティング定規の組み付け作業が簡単化する。その他請求項１と同様の効果を奏する。
【００１９】
請求項３の発明によれば、前記棒状支持体は、布案内体の上下揺動を所定の範囲に規制するストッパー部材を有するので、縫製中において、布案内体はその上下揺動範囲内であれば、加工布の布表面の盛り上がり部をスムーズに通過することができる。しかも、縫製終了時に、布押えホルダー又は上送り装置を上昇位置に上昇させると、布案内体はストッパー部材により上下揺動範囲の最下端部に位置した状態となり、このとき、布案内体は加工布を押圧しない状態となる。それ故、加工布をセットしたり取り出しを行う際に、布案内体が加工布の移動を妨げることなく、スムースに加工布を移動させることができる。その他請求項２と同様の効果を奏する。
【００２０】
請求項４の発明によれば、前記布案内体は支持部を後端部に有する前後方向向きの案内本体部と、この案内本体部の前端部に前後方向向きに連結された布ガイド板とを有し、布ガイド板は案内本体部に揺動可能に支持されたので、この布ガイド板は加工布の布表面の盛り上がり部を追従して上下揺動できることから、ゲージ機能を発揮しながら盛り上がり部をスムーズに通過することができる。その他請求項３と同様の効果を奏する。
【００２１】
請求項５の発明によれば、前記案内本体部に、長さ方向と平行な補強リブがほぼ全長に亙って形成されたので、案内本体部に予期しない外力が加わっても捩じれ変形や撓み変形に対する剛性を高めることができる。その他請求項１〜４の何れかと同様の効果を奏する。
【発明を実施するための最良の形態】
【００２２】
本実施例のキルティング定規は、押え棒の下端部に装着される上送り装置の装着部に棒状支持体を固定し、加工布の表面を追従する布案内体を棒状支持体に上下揺動可能に連結し、しかもバネ付勢してある。
【実施例】
【００２３】
本発明の実施例について図面を参照して説明する。
キルティング定規１０を説明する前に、このキルティング定規１０を着脱可能に装着する上送り装置１について簡単に説明する。
【００２４】
図１，図５に示すように、上送り装置１は、図示外の針棒に固着された針棒抱き（図示略）の軸部に連結される二股部２ａを有する揺動レバー２と、押え棒８の下端に止めネジ（図示略）により固着され、揺動レバー２の基端部を揺動支持する本体フレーム３と、この本体フレーム３に揺動可能に支持された伝達レバー（図示略）と、この伝達レバーの先端部で下方に押圧される送り押え体４と、本体フレーム３の先端部に支持された布押え５等からなっている。但し、送り押え体４はバネ部材（図示略）で上方に付勢されている。
【００２５】
縫製動作が開始されて針棒が上下動すると、揺動レバー２が二股部２ａを介して同時に上下に揺動する。揺動レバー２が上方位置にあるとき、伝達レバーを介して送り押え体４がバネ部材のバネ力に抗して下方に押圧され、針板９の上側に載置された加工布Ｗ１，Ｗ２がベッド部Ｂの送り歯（図示略）と送り押え体４とで上下方向に挟持され、送り歯により後方に一体的に布送り移動される。揺動レバー２が揺動範囲のほぼ中間位置から下方位置へ揺動したとき、送り押え体４はバネ部材のバネ力により加工布Ｗ１から離れると共に、伝達レバーにより元の送り開始位置に復帰する。
【００２６】
ところで、本体フレーム３の後端部に、平面視にてコ字状の装着部６が後方突出状に一体形成されている。この装着部６の左右両側壁部の各々に、軸受け穴６ａが対向状に形成され、これら軸受け穴６ａ間には、後述するキルティング定規１０の棒状支持体１１を挿通可能に且つ保持可能な軸保持部材７が設けられている。そこで、キルティング定規１０の棒状支持体１１を軸保持部材７で保持することにより、キルティング定規１０が上送り装置１に着脱可能に装着できるようになっている。
【００２７】
次に、キルティング定規１０について説明する。図１に示すように、キルティング定規１０は、棒状支持体１１と、この棒状支持体１１に連結された布案内体１２と、布案内体１２を加工布Ｗ１，Ｗ２側に付勢するねじりコイルばね１４と、この布案内体１２の前端部に連結された布ガイド板１５と、布案内体１２の上下揺動を所定範囲に規制するストッパー部材１６を有する。
【００２８】
図１〜図４に示すように、棒状支持体１１は、所定長さを有する直線状の軸部材であり、右端部に布案内体１２を連結する連結部１１ａが形成されている。棒状支持体１１の上側表面部の殆どに、後述する布ガイド板１５からの寸法を、例えば１ｍｍ毎に示す複数の寸法線からなる基線２０が刻印されている。更に、棒状支持体１１の右端部には、平面視にてＬ字状のストッパー部材１６の短壁部１６ａが固着されている。このストッパー部材１６の長壁部１６ｂは連結部１１ａに対応するように左方向きに形成されている。
【００２９】
布案内体１２は、図１，図２，図４，図５に示すように、板部材からなる案内本体部１３と、この案内本体部１３の前端部に連結された布ガイド板１５とを有している。案内本体部１３は、前後方向に延び所定幅を有する板部材で構成されている。この案内本体部１３の後端部には、左右両側を上側に折り曲げた左右１対の第１支持部１３ａが形成され、案内本体部１３はこれら第１支持部１３ａを介して棒状支持体１１の連結部１１ａに上下揺動可能に支持されている。
【００３０】
但し、棒状支持体１１の連結部１１ａの左端位置にＥリング等の止め輪２１が装着され、案内本体部１３はストッパー部材１６の短壁部１６ａと止め輪２１とで左右方向位置が決められている。ねじりコイルばね１４は、図１〜図４に示すように、棒状支持体１１の連結部１１ａに外装され、ねじりコイルばね１４の一端がストッパー部材１６の長壁部１６ｂに係止され、ねじりコイルばね１４の他端は案内本体部１３に係止されている。それ故、案内本体部１３はこのねじりコイルばね１４により加工布Ｗ１，Ｗ２側に回動付勢されている。
【００３１】
案内本体部１３は、この前後方向のほぼ中央部においてほぼへ字状に所定角度（例えば、約２０°）屈曲形成されるとともに、左方向きに曲げ形成された前端部において、上側に折り曲げた第２支持部１３ｂを有している。そこで、この第２支持部１３ｂに左右方向向きの支持ピン２２を介して布ガイド板１５が揺動可能に支持されている。
【００３２】
即ち、布ガイド板１５は、図１〜図３に示すように、正面視にてほぼ門型であり、下方に曲げ形成された右端部に第３支持部１５ａが形成されると共に、下方に曲げ形成された左端部に布ガイド部１５ｂが形成されている。そこで、第２支持部１３ｂに右端が固着された左方向向きの支持ピン２２がこれら第３支持部１５ａと布ガイド部１５ｂの上端部とを順次挿通し、布ガイド板１５は支持ピン２２により揺動可能に支持されている。
【００３３】
但し、支持ピン２２の左端部にＥリング等の止め輪２３が装着され、布ガイド板１５が支持ピン２２から外れないようになっている。ところで、案内本体部１３には、長さ方向と平行に、ビード加工された補強リブ２４（図６参照）がほぼ全長に亙って形成され、案内本体部１３に捩じれ変形や撓み変形が起こらないように補強され、案内本体部１３の剛性が高めてある。
【００３４】
ここで、図１，図２，図５に示すように、布ガイド部１５ｂの下面は直線状に形成されているが、前端部分において上方傾斜状に形成され、加工布Ｗ１，Ｗ２が後方に移動する縫製時に、布ガイド板１５が加工布Ｗ１，Ｗ２の表面に沿ってスムーズに移動できるようになっている。
【００３５】
ところで、ストッパー部材１６の長壁部１６ｂの下端部分において、図３に示すように、左右方向の中央部分に所定幅を有する切欠き部１６ｃが形成され、案内本体部１３の後端部には、図４に示すように、この切欠き部１６ｃに下側から嵌まり込む突出部１３ｃが形成されている。そこで、図７に示すように、ストッパー部材１６の切欠き部１６ｃに案内本体部１３の突出部１３ｃの上面が当接可能になっている。
【００３６】
図５に示すように、押え棒８が下降位置に下りた状態で、布押え５と針板９との間に加工布Ｗ１，Ｗ２が挟持された場合、布ガイド部１５ｂは加工布Ｗ１，Ｗ２の布表面に接するので、案内本体部１３の突出部１３ｃの上面はストッパー部材１６の切欠き部１６ｃから離れた状態となる。このとき、案内本体部１３は、ねじりコイルばね１４で下方に回動付勢され、布ガイド部１５ｂは所定のバネ力で加工布Ｗ１，Ｗ２を押圧する。
【００３７】
しかし、押え棒８が上昇位置に切換えられた場合には、布案内体１２はねじりコイルばね１４で下方に回動付勢されているため、ストッパー部材１６の切欠き部１６ｃと案内本体部１３の突出部１３ｃとが当接し、棒状支持体１１と布案内体１２とが押え棒８に同期して上昇し、針板９上に加工布Ｗ１，Ｗ２を移動させるスペースが確保される。
【００３８】
次に、このように構成されたキルティング定規１０の作用について説明する。
縫製開始に際して、作業者は先ず、押え棒８の下端に上送り装置１を装着し、更にこの上送り装置１の装着部６にキルティング定規１０の棒状支持体１１を装着する。そして、図５に示すように、作業者は、縫製に供する２枚の加工布Ｗ１，Ｗ２を重ねられた状態で針板９上に載置し、布端や前回の縫目線等の縫製基準線に対する今回の縫製位置までの距離に基づいて、装着部６の右端位置に基線２０を合わせる。図示外の布押えレバーが下降操作されて、押え棒８が下降すると、上送り装置１とキルティング定規１０とが一体的に加工布Ｗ１，Ｗ２上に下降する。
【００３９】
このとき、ねじりコイルばね１４のバネ力により布ガイド板１５は加工布Ｗ１の布表面を下方に押圧する。縫製が開始され、例えば、図８に示すように、先行する布ガイド板１５だけが加工布Ｗ１の折り返しによる盛り上がり部ＷＡを通過する場合、布ガイド部１５ｂはねじりコイルばね１４のバネ力に抗して乗り上げる。しかし、布ガイド部１５ｂが盛り上がり部ＷＡを通過した場合、図５に示すように、ねじりコイルばね１４のバネ力により、加工布Ｗ１の表面高さまで下降し、継続して加工布Ｗ１の布表面を追従しながら移動する。
【００４０】
このように、押え棒８の下端部に装着した上送り装置１の装着部６に着脱可能に装着されるキルティング定規１０において、棒状支持体１１と、連結部１１ａと、布案内体１２と、ねじりコイルばね１４とを設けたので、縫製中に、加工布Ｗ１の盛り上がり部ＷＡを縫製する際には、布案内体１２は一次的に上方に揺動するが、盛り上がり部ＷＡの通過後には、下方に揺動復帰して加工布Ｗ１の布表面を継続して追従するようになり、作業者は、盛り上がり部ＷＡを通過する毎に布案内体１２を手作業で布表面まで下降させる必要がなく、縫製作業の作業性が格段に向上する。
【００４１】
更に、キルティング定規１０は、棒状支持体１１に布案内体１２を上下揺動可能に支持し、布案内体１２を回動付勢するねじりコイルばね１４を設けた構成なので、キルティング定規１０を小型且つ軽量で簡単な機構にでき、しかも製作コストを安価にすることができる。
【００４２】
また、布案内体１２を回動付勢する為に、棒状支持体１１の連結部１１ａにねじりコイルばね１４が外装されたので、ねじりコイルばね１４を採用することにより布案内体１２を回動付勢するバネ定数を小さくでき、従って、加工布Ｗ１の布厚の変化によりばねのたわみ量が大きく変化しても、バネ力の変化を小さくできるので、キルティング生地等の波打つような表面を布案内体１２が通過する場合でもスムーズに移動することができる。しかもキルティング定規１０の組み付け作業が簡単化する。
【００４３】
また、棒状支持体１１は、布案内体１２の上下揺動を所定の範囲に規制するストッパー部材１６を有するので、縫製中において、布案内体１２はその上下揺動範囲内であれば、加工布Ｗ１の布表面の盛り上がり部ＷＡをスムーズに通過するようになる。しかも、縫製終了時に、上送り装置１を上昇位置に上昇させると、布案内体１２はストッパー部材１６により上下揺動範囲の最下端部に位置した状態となり、このとき、布案内体１２は加工布Ｗ１を押圧しない状態となる。それ故、加工布Ｗ１をセットしたり取り出しを行う際に、布案内体１２が加工布Ｗ１の移動を妨げることなく、スムースに加工布Ｗ１を移動させることができる。
【００４４】
また、布案内体１２は１対の第１支持部１３ａを後端部に有する前後方向向きの案内本体部１３と、この案内本体部１３の前端部に前後方向向きに連結された布ガイド板１５とを有し、布ガイド板１５は案内本体部１３に揺動可能に支持されたので、この布ガイド板１５は布ガイド部１５ａを介して加工布Ｗ１の布表面の盛り上がり部ＷＡを追従して上下揺動できることから、ゲージ機能を発揮しながら盛り上がり部をスムーズに通過することができる。
【００４５】
更に、案内本体部１３に、長さ方向と平行な補強リブ２４がほぼ全長に亙って形成されたので、案内本体部１３に予期しない外力が加わってもの捩じれ変形や撓み変形に対する剛性を高めることができる。
【００４６】
次に、前記実施例を部分的に変更した変更形態について説明する。
１）図９に示すように、キルティング定規１０は、通常の布押えホルダー２６の後端部の装着部に装着するようにしてもよい。この場合には、キルティング生地に代えて、通常の加工布を縫製する場合にも、キルティング定規１０を使用することができる。
【００４７】
２）案内本体部１３に形成する補強リブ２４に代えて、案内本体部１３の左端部又は右端部を長さ方向に亙って上側に曲げるフランジ加工を施すことにより、案内本体部１３の捩じれ変形や撓み変形に対する剛性を高めるようにしてもよい。
【００４８】
３）案内本体部１３は、その途中部で屈曲させることなく、平板で構成するようにしてもよい。
【００４９】
４）ねじりコイルばね１４の代わりに、圧縮コイルばね又は引張コイルばねを用いてもよい。このときは、案内本体部１３とストッパー部材１６とに係合させるようにばねを装着する。
【００５０】
５）本発明は以上説明した実施例に限定されるものではなく、当業者でれば、本発明の趣旨を逸脱しない範囲で、前記実施例に種々の変更を付加して実施することができ、本発明はそれらの変更形態をも包含するものである。
【図面の簡単な説明】
【００５１】
【図１】本発明の実施例に係るキルティング定規を上送り装置の装着部に装着した斜視図である。
【図２】キルティング定規の斜視図である。
【図３】キルティング定規の正面図である。
【図４】キルティング定規の平面図である。
【図５】キルティング定規を上送り装置の装着部に装着した右側面図である。
【図６】図２のＦ−Ｆ線縦断正面図である。
【図７】図４のＧ−Ｇ線縦断側面図である。
【図８】加工布の盛り上がり部を乗り換えるときの図５相当図である。
【図９】キルティング定規を布押えホルダーに装着した側面図である。
【符号の説明】
【００５２】
１      上送り装置
６      装着部
１０    キルティング定規
１１    棒状支持体
１１ａ  連結部
１２    布案内体
１３    案内本体部
１３ａ  第１支持部
１４    ねじりコイルばね（弾性部材）
１５    布ガイド板
１６    ストッパー部材
２４    補強リブ
２６    布押えホルダー
【図１】
2007244542.tif 000003
【図２】
2007244542.tif 000004
【図３】
2007244542.tif 000005
【図４】
2007244542.tif 000006
【図５】
2007244542.tif 000007
【図６】
2007244542.tif 000008
【図７】
2007244542.tif 000009
【図８】
2007244542.tif 000010
【図９】
2007244542.tif 000011